(57)【要約】【課題】浮体ブロックの動揺を抑制できる浮体ブロックの接合方法および浮体ブロックの揺動抑制方法を提供する。【解決手段】第１ブラケット５１を有する第１仮設杭５を設ける第１仮設杭設置工程と、第２ブラケット６１を有する第２仮設杭６を設ける第２仮設杭設置工程と、第１浮体ブロック１を第１ブラケット５１の上方かつ第１ブラケット５１と平面視で重なる位置に仮設する第１浮体ブロック仮設工程と、第２浮体ブロック２を第２ブラケット６１の上方かつ第２ブラケット６１と平面視で重なる位置に仮設する第２浮体ブロック仮設工程と、バラスト水の量を調整して第１浮体ブロック１を下降させ第１ブラケット５１に当接させる第１ブラケット当接工程と、バラスト水の量を調整して第２浮体ブロック２を下降させ第２ブラケット６１に当接させる第２ブラケット当接工程と、第１浮体ブロック１と第２浮体ブロック２とを接合する浮体ブロック接合工程とを有する。【選択図】図３
2020114719.tif 000002
【特許請求の範囲】
【請求項１】
内部にバラスト水を収容可能に構成された第１浮体ブロックと、内部にバラスト水を収容可能に構成された第２浮体ブロックとを洋上で接合する浮体ブロックの接合方法において、
前記第１浮体ブロックが設置される第１浮体ブロック設置領域の周囲に、前記第１浮体ブロック設置領域に突出する第１ブラケットが突設された第１仮設杭を設ける第１仮設杭設置工程と、
前記第２浮体ブロックが設置される第２浮体ブロック設置領域の周囲に、前記第２浮体ブロック設置領域に突出する第２ブラケットが突設された第２仮設杭を設ける第２仮設杭設置工程と、
前記第１浮体ブロックを前記第１浮体ブロック設置領域の前記第１ブラケットよりも下方または上方となる高さで、かつ前記第１ブラケットと平面視で重なる位置に仮設する第１浮体ブロック仮設工程と、
前記第２浮体ブロックを前記第２浮体ブロック設置領域の前記第２ブラケットよりも下方または上方となる高さで、かつ前記第２ブラケットと平面視で重なる位置に仮設する第２浮体ブロック仮設工程と、
前記第１浮体ブロックの前記バラスト水の量を調整して前記第１浮体ブロックを上昇させ、前記第１浮体ブロックを前記第１ブラケットに下側から当接させる、または前記第１浮体ブロックの前記バラスト水の量を調整して前記第１浮体ブロックを下降させ、前記第１浮体ブロックを前記第１ブラケットに上側から当接させる第１ブラケット当接工程と、
前記第２浮体ブロックの前記バラスト水の量を調整して前記第２浮体ブロックを上昇させ、前記第２浮体ブロックを前記第２ブラケットに下側から当接させる、または前記第２浮体ブロックの前記バラスト水の量を調整して前記第２浮体ブロックを下降させ、前記第２浮体ブロックを前記第２ブラケットに上側から当接させ、前記第２浮体ブロックの高さを前記第１浮体ブロックと接合可能な高さとする第２ブラケット当接工程と、
前記第１ブラケット当接工程および前記第２ブラケット当接工程の後に、前記第１浮体ブロックと前記第２浮体ブロックとを接合する浮体ブロック接合工程と、を有することを特徴とする浮体ブロックの接合方法。
【請求項２】
内部にバラスト水を収容可能に構成された浮体ブロックを洋上で構造体に接合して設置する際に、前記浮体ブロックの波浪の影響による揺動を抑制する浮体ブロックの揺動抑制方法において、
前記浮体ブロックが設置される浮体ブロック設置領域の周囲に、前記浮体ブロック設置領域に突出するブラケットが突設された仮設杭を設ける仮設杭設置工程と、
前記浮体ブロックを前記浮体ブロック設置領域の前記ブラケットよりも下方または上方となる高さで、かつ前記ブラケットと平面視で重なる位置に仮設する浮体ブロック仮設工程と、
前記浮体ブロックの前記バラスト水の量を調整して前記浮体ブロックを上昇させ、前記浮体ブロックを前記ブラケットに下側から当接させる、または前記浮体ブロックの前記バラスト水の量を調整して前記浮体ブロックを下降させ、前記浮体ブロックを前記ブラケットに上側から当接させるブラケット当接工程と、を有することを特徴とする浮体ブロックの揺動抑制方法。
【発明の詳細な説明】
【技術分野】
【０００１】
本発明は、浮体ブロックの接合方法および浮体ブロックの揺動抑制方法に関する。
【背景技術】
【０００２】
従来、洋上に浮体構造物を構築するに際に、洋上において複数の浮体ブロックを接合することがある。浮体ブロックどうしの接合は、例えば、接合される浮体ブロックを引き寄せウインチで引き寄せ、接合される浮体ブロックそれぞれの接合面を突き合わせて行っている（例えば、特許文献１参照）。
【先行技術文献】
【特許文献】
【０００３】
【特許文献１】特開２００２−０１９６９２号公報
【発明の概要】
【発明が解決しようとする課題】
【０００４】
しかしながら、外洋において浮体ブロックを接合する場合、波浪の影響により浮体ブロックがそれぞれ鉛直方向や水平方向に動揺してしまい、接合される浮体ブロックそれぞれの接合面を突き合わせることが困難である。
【０００５】
そこで本発明は、浮体ブロックの動揺を抑制することができる浮体ブロックの接合方法および浮体ブロックの揺動抑制方法を提供することを目的とする。
【課題を解決するための手段】
【０００６】
上記目的を達成するため、本発明に係る浮体ブロックの接合方法は、内部にバラスト水を収容可能に構成された第１浮体ブロックと、内部にバラスト水を収容可能に構成された第２浮体ブロックとを洋上で接合する浮体ブロックの接合方法において、前記第１浮体ブロックが設置される第１浮体ブロック設置領域の周囲に、前記第１浮体ブロック設置領域に突出する第１ブラケットが突設された第１仮設杭を設ける第１仮設杭設置工程と、前記第２浮体ブロックが設置される第２浮体ブロック設置領域の周囲に、前記第２浮体ブロック設置領域に突出する第２ブラケットが突設された第２仮設杭を設ける第２仮設杭設置工程と、前記第１浮体ブロックを前記第１浮体ブロック設置領域の前記第１ブラケットよりも下方または上方となる高さで、かつ前記第１ブラケットと平面視で重なる位置に仮設する第１浮体ブロック仮設工程と、前記第２浮体ブロックを前記第２浮体ブロック設置領域の前記第２ブラケットよりも下方または上方となる高さで、かつ前記第２ブラケットと平面視で重なる位置に仮設する第２浮体ブロック仮設工程と、前記第１浮体ブロックの前記バラスト水の量を調整して前記第１浮体ブロックを上昇させ、前記第１浮体ブロックを前記第１ブラケットに下側から当接させる、または前記第１浮体ブロックの前記バラスト水の量を調整して前記第１浮体ブロックを下降させ、前記第１浮体ブロックを前記第１ブラケットに上側から当接させる第１ブラケット当接工程と、前記第２浮体ブロックの前記バラスト水の量を調整して前記第２浮体ブロックを上昇させ、前記第２浮体ブロックを前記第２ブラケットに下側から当接させる、または前記第２浮体ブロックの前記バラスト水の量を調整して前記第２浮体ブロックを下降させ、前記第２浮体ブロックを前記第２ブラケットに上側から当接させ、前記第２浮体ブロックの高さを前記第１浮体ブロックと接合可能な高さとする第２ブラケット当接工程と、前記第１ブラケット当接工程および前記第２ブラケット当接工程の後に、前記第１浮体ブロックと前記第２浮体ブロックとを接合する浮体ブロック接合工程と、を有することを特徴とする。
【０００７】
本発明では、第１ブラケット当接工程においてバラスト水を調整することで第１浮体ブロックが第１仮設杭に突設された第１ブラケットに当接しているため、波浪の影響によって第１浮体ブロックが揺動することを抑制することができる。また、第２ブラケット当接工程においてバラスト水を調整することで第２浮体ブロックが第２仮設杭に突設された第２ブラケットに当接しているため、波浪の影響によって第２浮体ブロックが揺動することを抑制することができる。
そして浮体ブロック接合工程では、第１浮体ブロックおよび第２浮体ブロックは、それぞれ波浪の影響による揺動が抑制されているため、第１浮体ブロックと第２浮体ブロックとを容易に接合することができる。
【０００８】
本発明に係る浮体ブロックの揺動抑制方法は、内部にバラスト水を収容可能に構成された浮体ブロックを洋上で構造体に接合して設置する際に、前記浮体ブロックの波浪の影響による揺動を抑制する浮体ブロックの揺動抑制方法において、前記浮体ブロックが設置される浮体ブロック設置領域の周囲に、前記浮体ブロック設置領域に突出するブラケットが突設された仮設杭を設ける仮設杭設置工程と、前記浮体ブロックを前記浮体ブロック設置領域の前記ブラケットよりも下方または上方となる高さで、かつ前記ブラケットと平面視で重なる位置に仮設する浮体ブロック仮設工程と、前記浮体ブロックの前記バラスト水の量を調整して前記浮体ブロックを上昇させ、前記浮体ブロックを前記ブラケットに下側から当接させる、または前記浮体ブロックの前記バラスト水の量を調整して前記浮体ブロックを下降させ、前記浮体ブロックを前記ブラケットに上側から当接させるブラケット当接工程と、を有することを特徴とする。
【０００９】
本発明では、ブラケット当接工程においてバラスト水を調整することで浮体ブロックが仮設杭に突設されたブラケットに当接するため、波浪の影響によって浮体ブロックが揺動することを抑制することができる。
【発明の効果】
【００１０】
本発明によれば、浮体ブロックの動揺を抑制することができる。
【図面の簡単な説明】
【００１１】
【図１】本発明の第１実施形態による浮体構造物の一例を示す図である。
【図２】第１実施形態による第１仮設杭設置工程および第２仮設杭設置工程を説明する図である。
【図３】第１実施形態による第１浮体ブロック仮設工程および第２浮体ブロック仮設工程を説明する図である。
【図４】第１実施形態による第１ブラケット当接工程および第２ブラケット当接工程を説明する図である。
【図５】第１実施形態によるドルフィン係留工程を説明する図である。
【図６】第１実施形態による浮体ブロック接合工程を説明する図である。
【図７】第２実施形態による第１仮設杭設置工程および第２仮設杭設置工程を説明する図である。
【図８】第２実施形態による第１浮体ブロック仮設工程および第２浮体ブロック仮設工程を説明する図である。
【図９】第２実施形態による第１ブラケット当接工程および第２ブラケット当接工程を説明する図である。
【発明を実施するための形態】
【００１２】
（第１実施形態）
以下、本発明の第１実施形態による浮体ブロックの接合方法および浮体ブロックの揺動抑制方法について、図１−図６に基づいて説明する。
第１実施形態による浮体ブロックの接合方法および浮体ブロックの揺動抑制方法は、図１に示すような、複数のコンクリート製の浮体ブロック１０を接合して洋上４で浮体構造物１００を構築する際に行われている。
本実施形態では、複数の浮体ブロック１０のうちの第１浮体ブロック１および第２浮体ブロック２の揺動抑制方法および接合方法について説明する。
まず、第１浮体ブロック１および第２浮体ブロック２について説明する。
第１浮体ブロック１と、第２浮体ブロック２とは、水平方向に並んで設置される。以下では、第１浮体ブロック１と、第２浮体ブロック２とが並ぶ水平方向を第１水平方向（図１の左右方向、矢印Ｘの方向）とし、第１水平方向に直交する水平方向を第２水平方向（図１の紙面に直交する方向）とする。
【００１３】
本実施形態では、第１浮体ブロック１は、ドルフィン３に係留されている。ドルフィン３は、海底４１に支持された杭体３１に固定されている。第１浮体ブロック１と、第２浮体ブロック２とは、第１水平方向の一方側に第１浮体ブロック１が配置され、他方側に第２浮体ブロック２が配置されている。ドルフィン３は、第１浮体ブロック１の第１水平方向の一方側に配置されている。
すなわち、第１浮体ブロック１は、第１水平方向の一方側がドルフィン３に係留され、第１水平方向の他方側に第２浮体ブロック２が接合されている。
第２浮体ブロック２の第１水平方向の他方側、および第１浮体ブロック１および第２浮体ブロック２の第２水平方向の片側または両側には、他の浮体ブロック１０が接合されていてもよいし、接合されていなくてもよい。
【００１４】
第１浮体ブロック１および第２浮体ブロック２は、直方体状の外形に形成されている。第１浮体ブロック１および第２浮体ブロック２は、上面１１，２１および下面１２，２２が水平面となり、４つの側面が第１水平方向または第２水平方向を向く鉛直面となる向きに設置されている。
【００１５】
第１浮体ブロック１および第２浮体ブロック２は、内部にバラスト水を収容可能なバラスト水収容部１３，２３が形成されている。第１浮体ブロック１および第２浮体ブロック２には、外部の水をバラスト水収容部１３，２３に注水するための注水口、およびバラスト水収容部１３，２３の水を外部に排水するための排水口が設けられている。注水口は、例えば、第１浮体ブロック１および第２浮体ブロック２の側部に設けられ、注水バルブを有している。
第１浮体ブロック１および第２浮体ブロック２は、注水バルブを開くことでバラスト水収容部１３，２３に注水されるように構成されている。また、第１浮体ブロック１および第２浮体ブロック２は、排水口を通してバラスト水収容部１３，２３のバラスト水をポンプアップすることで排水されるように構成されている。
【００１６】
第１浮体ブロック１と第２浮体ブロック２とを接合するには、第１浮体ブロック１をドルフィン３に係留し、ドルフィン３に係留された第１浮体ブロック１に第２浮体ブロック２を接合する。
まず、第１浮体ブロック１をドルフィン３に係留する方法について説明する。
【００１７】
図２に示すように、第１浮体ブロック１が設置される第１浮体ブロック設置領域４２の周囲に、第１浮体ブロック設置領域４２に突出する第１ブラケット５１が突設された第１仮設杭５を設ける（第１仮設杭設置工程）。
第１仮設杭５を海底４１に打設し、海底４１に支持された状態とする。第１ブラケット５１をその上面５２がドルフィン３に係留された際の第１浮体ブロック１の下面１２の高さとなるように設置する。第１ブラケット５１を平面視において（上下方向から見て）第１浮体ブロック設置領域４２と重なる位置に設置する。
本実施形態では、第１浮体ブロック設置領域４２の第２水平方向（図２の左右方向、矢印Ｙの方向）の両側それぞれに第１仮設杭５を打設し、第１ブラケット５１を設ける。
【００１８】
図３に示すように、第１浮体ブロック１を第１浮体ブロック設置領域４２の第１ブラケット５１よりも上方となる高さに仮設する（第１浮体ブロック仮設工程）。
第１浮体ブロック１を洋上４に浮遊させ、バラスト水を調整して、第１浮体ブロック１を第１浮体ブロック設置領域４２の第１ブラケット５１よりも上方となる高さとする。
第１ブラケット５１よりも上方となる高さとなった第１浮体ブロック１を第１ブラケット５１の上側で、平面視で第１ブラケット５１と重なる位置に移動させる。
本実施形態では、第１浮体ブロック設置領域４２の第２水平方向の両側それぞれに第１仮設杭５が設けられているため、第１浮体ブロック１を第１浮体ブロック設置領域４２の第２水平方向の一方側の第１仮設杭５と他方側の第１仮設杭５との間に第１水平方向の他方側から入れるようにして、第１ブラケット５１の上側に移動させる。
このように配置された第１浮体ブロック１は、第１仮設杭５によって第２水平方向への移動が抑制される。
【００１９】
図４に示すように、第１浮体ブロック１のバラスト水の量を調整して第１浮体ブロック１を下降させ、第１浮体ブロック１の下面１２を第１ブラケット５１の上面５２に上側から当接させる（第１ブラケット当接工程）。
第１浮体ブロック１の注水口を開口し、バラスト水収容部１３に海水を注水し、第１浮体ブロック１を下降させ、第１浮体ブロック１の下面１２が第１ブラケット５１の上面５２に当接したら注水口を閉じてバラスト水収容部１３への海水の注水を停止する。
【００２０】
図５に示すように、第１浮体ブロック１を第１ブラケット５１の上面５２に当接した状態でドルフィン３に係留可能な位置に移動させ、ドルフィン３に係留する（ドルフィン係留工程）。
第１ブラケット５１および第１仮設杭５のいずれか一方または両方には、当接した第１浮体ブロック１が水平方向に容易に移動できるようにガイドローラ（不図示）が設けられていてもよい。
第１浮体ブロック１は、下面１２が第１ブラケット５１に当接しているとともに、第２水平方向の両側に第１仮設杭５が設けられているため、下側および第２水平方向の移動が抑制される。
【００２１】
続いて、ドルフィン３に係留された第１浮体ブロック１に第２浮体ブロック２を接合する方法について説明する。第１浮体ブロック１に第２浮体ブロック２を接合する方法の第２仮設杭設置工程、第２浮体ブロック仮設工程および第２ブラケット当接工程については、第１仮設杭設置工程、第１浮体ブロック仮設工程および第１ブラケット当接工程を説明する図２−図４を用いて説明する。
【００２２】
図２に示すように、第２浮体ブロック２が設置される第２浮体ブロック設置領域４３の周囲に、第２浮体ブロック設置領域４３に突出する第２ブラケット６１が突設された第２仮設杭６を設ける（第２仮設杭設置工程）。
第２仮設杭６を海底４１に打設し、海底４１に支持された状態とする。第２ブラケット６１をその上面６２が第１浮体ブロック１に接合された際の第２浮体ブロック２の下面２２の高さとなるように設置する。第２ブラケット６１を平面視において第２浮体ブロック設置領域４３と重なる位置に設置する。
本実施形態では、第１浮体ブロック１と第２浮体ブロック２とは、同じ高さ寸法で同じ高さに配置される。このため、第２ブラケット６１を第１ブラケット５１と同じ高さに配置する。
本実施形態では、第２浮体ブロック設置領域４３の第２水平方向の両側それぞれに第２仮設杭６を打設し、第２ブラケット６１を設ける。
【００２３】
図３に示すように、第２浮体ブロック２を第２浮体ブロック設置領域４３の第２ブラケット６１よりも上方となる高さに仮設する（第２浮体ブロック仮設工程）。
第２浮体ブロック２を洋上４に浮遊させ、バラスト水を調整して、第２浮体ブロック２を第２浮体ブロック設置領域４３の第２ブラケット６１よりも上方となる高さとする。
第２ブラケット６１よりも上方となる高さとなった第２浮体ブロック２を第２ブラケット６１の上側で、平面視で第２ブラケット６１と重なる位置に移動させる。
本実施形態では、第２浮体ブロック設置領域４３の第２水平方向の両側それぞれに第２仮設杭６が設けられているため、第２浮体ブロック２を第２浮体ブロック設置領域４３の第２水平方向の一方側の第２仮設杭６と他方側の第２仮設杭６との間に第１水平方向の他方側から入れるようにして、第２ブラケット６１の上側に移動させる。
このように配置された第２浮体ブロック２は、第２仮設杭６によって第２水平方向への移動が抑制される。
【００２４】
図４に示すように、第２浮体ブロック２のバラスト水の量を調整して第２浮体ブロック２を下降させ、第２浮体ブロック２の下面２２を第２ブラケット６１の上面６２に上側から当接させる（第２ブラケット当接工程）。
第２浮体ブロック２の注水口を開口し、バラスト水収容部２３に海水を注水し、第２浮体ブロック２を下降させ、第２浮体ブロック２の下面２２が第２ブラケット６１に当接したら注水口を閉じてバラスト水収容部２３への海水の注水を停止する。
【００２５】
図６に示すように、第２浮体ブロック２を第２ブラケット６１の上面６２に当接した状態で第１浮体ブロック１に接合可能な位置に移動させ、第１浮体ブロック１に係留する（浮体ブロック接合工程）。
第２ブラケット６１および第２仮設杭６のいずれか一方または両方には、当接した第２浮体ブロック２が水平方向に容易に移動できるようにガイドローラ（不図示）が設けられていてもよい。
第２浮体ブロック２は、下面２２が第２ブラケット６１に当接しているとともに、第２水平方向の両側に第２仮設杭６が設けられているため、下側および第２水平方向の移動が抑制される。
【００２６】
第１ブラケット５１および第２ブラケット６１が接合されたら、第１仮設杭５および第２仮設杭６を撤去する（仮設杭撤去工程）。
なお、第２浮体ブロック２の第１水平方向の他方側に他の浮体ブロック１０を接合する場合は、第２浮体ブロック２と他の浮体ブロック１０とが接合された後に第２仮設杭６を撤去する。
【００２７】
次に、上述した第１実施形態による浮体ブロックの接合方法および浮体ブロックの揺動抑制方法の作用・効果について図面を用いて説明する。
上述した第１実施形態による浮体ブロックの接合方法および浮体ブロックの揺動抑制方法では、第１ブラケット当接工程においてバラスト水を調整することで第１浮体ブロック１が第１仮設杭５に突設された第１ブラケット５１に当接しているため、波浪の影響によって第１浮体ブロック１が揺動することを抑制することができる。また、第２ブラケット当接工程においてバラスト水を調整することで第２浮体ブロック２が第２仮設杭６に突設された第２ブラケット６１に当接しているため、波浪の影響によって第２浮体ブロック２が揺動することを抑制することができる。
そして浮体ブロック接合工程では、第１浮体ブロック１および第２浮体ブロック２は、それぞれ波浪の影響による揺動が抑制されているため、第１浮体ブロック１と第２浮体ブロック２とを容易に接合することができる。
【００２８】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
【００２９】
図７に示すように、第２実施形態による浮体ブロックの接合方法および浮体ブロックの揺動抑制方法は、第１仮設杭設置工程では、第１ブラケット５１をその下面１２がドルフィン３に係留された際の第１浮体ブロック１の上面１１の高さとなるように設置する。
図８に示すように、第１浮体ブロック仮設工程では、第１浮体ブロック１を第１浮体ブロック設置領域４２の第１ブラケット５１よりも下方となる高さで、平面視で第１ブラケット５１と重なる位置に仮設する。このとき、第１浮体ブロック１のバラスト水収容部１３には、バラスト水が収容された状態とする。
図９に示すように。第１ブラケット当接工程では、第１浮体ブロック１のバラスト水の量を調整して第１浮体ブロック１を上昇させ、第１浮体ブロック１の上面１１を第１ブラケット５１の下面５３に下側から当接させる。
【００３０】
第１浮体ブロック１のバラスト水収容部１３のバラスト水を排水口から排出し、第１浮体ブロック１を上昇させ、第１浮体ブロック１の上面１１が第１ブラケット５１の下面５３に当接したらバラスト水の排出を停止する。
第１浮体ブロック１は、第１ブラケット５１の下面５３に当接しているとともに、第２水平方向の両側に第１仮設杭５が設けられているため、上側および第２水平方向の移動が抑制されている。
ドルフィン係留工程では、第１浮体ブロック１を第１ブラケット５１の下面５３に当接した状態でドルフィン３（図１参照）に係留可能な位置に移動させ、ドルフィン３に係留する。
【００３１】
第２実施形態においても、第１浮体ブロック１に第２浮体ブロック２を接合する方法の第２仮設杭設置工程、第２浮体ブロック仮設工程および第２ブラケット当接工程については、第１仮設杭設置工程、第１浮体ブロック仮設工程および第１ブラケット当接工程を説明する図７−図９を用いて説明する。
図７に示すように、第２仮設杭設置工程では、第２ブラケット６１をその下面６３が第１浮体ブロック１に接合された際の第２浮体ブロック２の上面２１の高さとなるように設置する。本実施形態でも、第１浮体ブロック１と第２浮体ブロック２とは、同じ高さ寸法で同じ高さに配置される。このため、第２ブラケット６１を第１ブラケット５１と同じ高さに配置する。
図８に示すように、第２浮体ブロック仮設工程では、第２浮体ブロック２を第２浮体ブロック設置領域４３の第２ブラケット６１よりも下方となる高さで、平面視で第２ブラケット６１と重なる位置に仮設する。このとき、第２浮体ブロック２のバラスト水収容部２３には、バラスト水が収容された状態とする。
図９に示すように、第２ブラケット当接工程では、第２浮体ブロック２のバラスト水の量を調整して第２浮体ブロック２を上昇させ、第２浮体ブロック２の上面２１を第２ブラケット６１の下面６３に下側から当接させる。
【００３２】
第２浮体ブロック２のバラスト水収容部２３のバラスト水を排水口から排出し、第２浮体ブロック２を上昇させ、第２浮体ブロック２の上面２１が第２ブラケット６１の下面６３に当接したらバラスト水の排出を停止する。第２浮体ブロック２は、第２ブラケット６１の下面６３に当接しているとともに、第２水平方向の両側に第２仮設杭６が設けられているため、上側および第２水平方向の移動が抑制されている。
浮体ブロック接合工程では、第１実施形態と同様に、第２ブラケット６１に当接した第２浮体ブロック２を第２ブラケット６１に当接した状態で第１浮体ブロック１に接合可能な位置に移動させ、第１浮体ブロック１に接合する。
【００３３】
第２実施形態による浮体ブロックの接合方法および浮体ブロックの揺動抑制方法では、第１実施形態と同様の効果を奏する。
【００３４】
以上、本発明による浮体ブロックの接合方法および浮体ブロックの揺動抑制方法の実施形態について説明したが、本発明は上記の実施形態に限定されるものではなく、その趣旨を逸脱しない範囲で適宜変更可能である。
例えば、上記の実施形態では、第１仮設杭５は、第１浮体ブロック設置領域４２の第２水平方向の両側それぞれに設けられ、第２仮設杭６は、第２浮体ブロック設置領域４３の第２水平方向の両側それぞれに設けられているが、第１仮設杭５および第２仮設杭６が設けられる位置は適宜設定されてよい。
また、上記の実施形態では、第１ブラケット５１と第２ブラケット６１は、同じ高さに仮設されているが、第１浮体ブロック１と第２浮体ブロックとを接合可能であれば異なる高さに仮設されてもよい。
【００３５】
また、上記の第１実施形態では、第１浮体ブロック１を下降させて第１ブラケット５１に上側からに当接させ、第２浮体ブロック２を下降させて第２ブラケット６１に上側から当接させて、第１浮体ブロック１と第２浮体ブロック２とを接合している。また、上記の第２実施形態では、第１浮体ブロック１を上昇させて第１ブラケット５１に下側から当接させ、第２浮体ブロック２を上昇させて第２ブラケット６１に下側から当接させて、第１浮体ブロック１と第２浮体ブロック２とを接合している。
これに対し、第１浮体ブロック１および第２浮体ブロック２のいずれか一方を下降させてブラケットに上側からに当接させ、他方を上昇させてブラケットに当接させて、第１浮体ブロック１と第２浮体ブロック２とを接合してもよい。
【００３６】
また、上記の実施形態では、第１浮体ブロック１がドルフィン３に係留され、ドルフィン３に係留された第１浮体ブロック１に第２浮体ブロック２が接合されているが、第１浮体ブロック１をドルフィン３に係留する場合や、第１浮体ブロック１と第２浮体ブロック２とを接合する場合に上記の浮体ブロックの接合方法および浮体ブロックの揺動抑制方法を採用してもよい。
また、浮体ブロックをドルフィン３以外の構造体に接合する際に、上記の浮体ブロックの揺動抑制方法を採用してもよい。
【符号の説明】
【００３７】
１  第１浮体ブロック
２  第２浮体ブロック
３  ドルフィン（構造体）
４  洋上
５  第１仮設杭
６  第２仮設杭
１０  浮体ブロック
４２  第１浮体ブロック設置領域
４３  第２浮体ブロック設置領域
５１  第１ブラケット
６１  第２ブラケット
【図１】
2020114719.tif 000003
【図２】
2020114719.tif 000004
【図３】
2020114719.tif 000005
【図４】
2020114719.tif 000006
【図５】
2020114719.tif 000007
【図６】
2020114719.tif 000008
【図７】
2020114719.tif 000009
【図８】
2020114719.tif 000010
【図９】
2020114719.tif 000011